(57)【特許請求の範囲】
【請求項１】
画像データの格納と読み出しが可能な記憶手段と、
上記記憶手段に格納された画像データを縮小した画像データに変換し、当該記憶手段に格納する画像データ縮小手段と、
上記記憶手段に格納された画像データを描画パターンに展開し、当該記憶手段に格納する描画手段と、
上記記憶手段に格納された画像データを記憶媒体上の可視像として画像形成し、記録媒体を出力する出力手段と、
入力された複数頁分の画像データ群を、該複数頁分の記録媒体上に画像形成する通常モードと、画像サイズを縮小した上で上記複数頁数よりも少ない頁数の記録媒体上に画像形成して出力結果を確認するための試し出力モードとに設定可能であり、上記通常モードと上記試し出力モードを切り替えるためのモード設定手段と、
上記試し出力モードが設定された際、文字データに対応する画像データ部分を点または枠として出力するための制御手段を備えたことを特徴とする画像形成装置。
【請求項２】
画像データの格納と読み出しが可能な記憶手段と、
上記記憶手段に格納された画像データを縮小した画像データに変換し、当該記憶手段に格納する画像データ縮小手段と、
上記記憶手段に格納された画像データを描画パターンに展開し、当該記憶手段に格納する描画手段と、
上記記憶手段に格納された画像データを記憶媒体上の可視像として画像形成し、記録媒体を出力する出力手段と、
入力された複数頁分の画像データ群を、該複数頁分の記録媒体上に画像形成する通常モードと、画像サイズを縮小した上で上記複数頁数よりも少ない頁数の記録媒体上に画像形成して出力結果を確認するための試し出力モードとに設定可能であり、上記通常モードと上記試し出力モードを切り替えるためのモード設定手段と、
画像データ中の文字データ以外のグラフィックデータを検出するグラフィックデータ検出手段とを有し、
上記試し出力モードが設定された際、画像データより検出されたグラフィックデータを画像データから削除し、対応する画像データ部分を枠として出力するための制御手段を備えたことを特徴とする画像形成装置。
【請求項３】
上記試し出力モードが設定され、検出されたグラフィックデータを画像データから削除して画像形成する際、グラフィックデータだけを別途記憶するためのグラフィックデータ記憶手段を有し、グラフィックデータ以外の画像データの画像形成が完了した後、該グラフィックデータ記憶手段からグラフィックデータを読み出し、該グラフィックデータを縮小せずに別の記録媒体上に画像形成して出力するための制御手段を備えたことを特徴とする請求項２記載の画像形成装置。
【請求項４】
グラフィックデータを縮小せず、別の記録媒体に画像形成する際、複数のグラフィックデータを少ない頁数で画像形成できるよう最適なデータ配置を行うためのグラフィックデータ最適配置手段を備えたことを特徴とする請求項３記載の画像形成装置。
【請求項５】
グラフィックデータを縮小せず、別の記録媒体に画像形成する際、グラフィックデータと元の画像データにおける位置の対応がわかるよう、画像データ側とグラフィックデータ側に対応する画像番号を付加して画像形成するための制御手段を備えることを特徴とする請求項３記載の画像形成装置。
【発明の詳細な説明】
【０００１】
【発明の属する技術分野】
本発明は、入力される画像データに対応した画像を記録媒体上に可視像化して出力する画像形成装置に関し、特に情報処理システムで出力装置として使用されるプリンタやデジタル複写機等の画像形成装置に関する。
【０００２】
【従来の技術】
従来の画像形成装置は、ユーザー（オペレータ）の好みによって濃度や倍率等の各種条件を設定できるようになっており、その設定条件に応じた再生画像を紙等の記録媒体上に印字出力できるようになっている。
【０００３】
しかしながら、印字出力を行う上で、オペレータが望む印字結果と実際の印字結果が異なる場合があり、この場合はオペレータが望む画質で印字できるように各種設定を変更して再度印字し直す必要が生じ、特に複数部の印字出力を行った場合には、印刷用記録媒体やトナー等の顕像剤が無駄となる。
【０００４】
そこで上述の問題点に鑑み、提案されたのが特開昭６０−２２１７７０号公報であり、原稿載置台上に載置された複数の原稿に対して順次連続複写を行ってそれぞれの原稿に対する複写画像を形成する複写機において、多量のミスコピーを生じることのない複写制御方式を提供することを目的として、原稿台上に載置された２以上の原稿に対して個々に原稿走査を行って異なる複写紙上にそれぞれの原稿像を複写する複写制御方法にて、２以上の原稿のそれぞれを複数部複写するとき、まずそれぞれの原稿を１枚ずつ複写する１枚複写を実行し、その後に残りの部数を連続して複写する連続複写を実行する複写制御方法が提案されている。
【０００５】
【発明が解決しようとする課題】
上述の通り、特開昭６０−２２１７７０号公報は、原稿台上に載置された２以上の原稿に対して個々に原稿走査を行って異なる複写紙上にそれぞれの原稿像を複写する複写制御方法において、２以上の原稿のそれぞれを複数部複写するとき、まずそれぞれの原稿を１枚ずつ複写する１枚複写を実行し、その後に残りの部数を連続して複写する連続複写を実行する複写制御方法に係るものであり、最初に実行される１枚複写によって原稿の載置状態が良好であるか否か確認することができ、次に実行される連続複写における複写ミスを防止できるという点で有効なものである。
【０００６】
しかしながら、同公報に記載の画像形成装置おいては、一部当りのページ枚数が多い場合には、多量の用紙等の記録媒体やトナー等の顕像剤を消費してしまうという問題があった。
【０００７】
本発明は上記問題点に鑑みてなされたものであり、入力される画像データに対応する画像を可視像化して出力する画像形成装置、特に情報処理システムで出力装置として使用されるページプリンタ等の画像形成装置において、通常の画像出力に先立ち、画像サイズを縮小した上で、少ない枚数の記録媒体で試験的に画像出力を試すモード（以後単に「試し出力モード」又は［試し印字モード」という）を有し、記録媒体や顕像剤を浪費することのない画像形成装置を提供することを目的とする。
【０００８】
【課題を解決するための手段】
請求項１記載の画像形成装置は、画像データの格納と読み出しが可能な記憶手段と、
上記記憶手段に格納された画像データを縮小した画像データに変換し、当該記憶手段に格納する画像データ縮小手段と、
上記記憶手段に格納された画像データを描画パターンに展開し、当該記憶手段に格納する描画手段と、
上記記憶手段に格納された画像データを記憶媒体上の可視像として画像形成し、記録媒体を出力する出力手段と、
入力された複数頁分の画像データ群を、該複数頁分の記録媒体上に画像形成する通常モードと、画像サイズを縮小した上で上記複数頁数よりも少ない頁数の記録媒体上に画像形成して出力結果を確認するための試し出力モードとに設定可能であり、上記通常モードと上記試し出力モードを切り替えるためのモード設定手段と、
上記試し出力モードが設定された際、文字データに対応する画像データ部分を点または枠として出力するための制御手段を備えたことを特徴とする。
【００１１】
請求項２記載の画像形成装置は、画像データの格納と読み出しが可能な記憶手段と、
上記記憶手段に格納された画像データを縮小した画像データに変換し、当該記憶手段に格納する画像データ縮小手段と、
上記記憶手段に格納された画像データを描画パターンに展開し、当該記憶手段に格納する描画手段と、
上記記憶手段に格納された画像データを記憶媒体上の可視像として画像形成し、記録媒体を出力する出力手段と、
入力された複数頁分の画像データ群を、該複数頁分の記録媒体上に画像形成する通常モードと、画像サイズを縮小した上で上記複数頁数よりも少ない頁数の記録媒体上に画像形成して出力結果を確認するための試し出力モードとに設定可能であり、上記通常モードと上記試し出力モードを切り替えるためのモード設定手段と、
画像データ中の文字データ以外のグラフィックデータを検出するグラフィックデータ検出手段とを有し、
上記試し出力モードが設定された際、画像データより検出されたグラフィックデータを画像データから削除し、対応する画像データ部分を枠として出力するための制御手段を備えたことを特徴とする。
【００１２】
請求項３記載の画像形成装置は、請求項２において、上記試し出力モードが設定され、検出されたグラフィックデータを画像データから削除して画像形成する際、グラフィックデータだけを別途記憶するためのグラフィックデータ記憶手段を有し、グラフィックデータ以外の画像データの画像形成が完了した後、該グラフィックデータ記憶手段からグラフィックデータを読み出し、該グラフィックデータを縮小せずに別の記録媒体上に画像形成して出力するための制御手段を備えることを特徴とする。
【００１３】
請求項４記載の画像形成装置は、請求項３において、グラフィックデータを縮小せず、別の記録媒体に画像形成する際、複数のグラフィックデータを少ない頁数で画像形成できるよう最適なデータ配置を行うためのグラフィックデータ最適配置手段を備えることを特徴とする。
【００１４】
請求項５記載の画像形成装置は、請求項３において、グラフィックデータを縮小せず、別の記録媒体に画像形成する際、グラフィックデータと元の画像データにおける位置の対応がわかるよう、画像データ側とグラフィックデータ側に対応する画像番号を付加して画像形成するための制御手段を備えることを特徴とする。
【００１９】
【発明の実施の形態】
本発明の一実施の形態を図１に基づいて以下に説明する。
【００２０】
なお、本実施態様の説明としてパーソナルコンピュータ（以後ＰＣと略す）等の情報処理装置に接続された画像形成装置に本発明を適用した場合のみを記載しているが、入力される画像データに対応した画像を可視像化して出力する画像形成装置に関し、特に情報処理システムで出力装置として使用される例えばページプリンタ、レーザプリンタ、インクジェットプリンタ、感熱紙プリンタ、熱転写プリンタ、デジタル複写機、アナログ複写機等のような画像形成装置全般に適用可能であり、カラー出力でもモノクロ出力でも適用可能であることは言うまでもない。
【００２１】
また、記録媒体が用紙で顕像剤がトナーである場合のみ説明を行なっているが、本発明はこれらに限定されるものではなく、例えば顕像剤としてインクを使用したり、記録媒体として用紙以外の例えばＯＨＰシート等を用いる場合でも応用できることは勿論である。
【００２２】
図１は、ＰＣ等の情報処理装置１と画像形成装置２の接続状態の一例を示したものであり、ＰＣ１と画像形成装置２は互いに情報伝達可能なように、通信回線を介して接続されていることを表している。なお情報処理装置１と画像形成装置２の接続方法は、ケーブル線で接続しても良いし、赤外線等の光通信や無線通信等でも良く、一対一接続でもＬＡＮ等のネットワーク接続でも構わない。
【００２３】
また、画像形成装置２にはオペレータが各種モード設定を行うためのコントロールパネル３、試し印字モードを設定するための試し印字モードキー４、空白ページを検出する空白ページ出力モードを設定するための空白ページ出力モードキー５、検出されたグラフィックデータを出力処理するためのグラフィック出力モードを設定するグラフィック出力モードキー６、画像データを縮小処理するための画像データ縮小モードに設定するための画像データ縮小モードキー７、顕像剤（以後トナーの標記で統一する）の量を調整するためのトナーセーブモードを設定するトナーセーブモードキー８を備えている。
【００２４】
図２は、本発明に係る試し印字を可能にするための画像形成装置２のブロック図を示している。
【００２５】
図２において、ホストコンピュータやパーソナルコンピュータ等の上位装置（ここではＰＣ１）から送られてきた印字データは、解釈部９において、予め決められているコマンドシーケンスに従って解釈される。
【００２６】
ここで、試し印字の命令が、コマンド又はコントロールパネル３の試し印字モードキー４で設定されていれば、空白ページ検出手段１０によって検出された空白ページを、コマンド又は空白ページ出力モードキー５の設定に従って処理する。
【００２７】
また、グラフィックデータ検出手段１１によって検出したグラフィックデータを、コマンド又はグラフィックデータ出力モードキー６の設定に従って処理し、印字データを第１データバッファ１２に書き込む。ここで、図３は第１データバッファ１２の内容を表したものであり、最大Ｎｍａｘページの画像データを格納するためのＮｍａｘページ画像格納用バッファ１２ａ（以下第１データバッファ１２ａと記す）と、グラフィックデータのみを格納するグラフィックデータ格納用バッファ１２ｂ（以下第１データバッファ１２ｂと記す）から構成されている。
【００２８】
即ち、解釈部９でコマンド又はグラフィックデータ出力モードキー６の設定に従って処理されたデータは、第１データバッファ１２ａと第１データバッファ１２ｂに書き込まれ、フルになるまで繰り返されることとなる。
【００２９】
さらに、画像データ縮小手段１３では、第１データバッファ１２ａにある画像データを、コマンド又は画像データ縮小モードキー７の設定に従って処理し、第２データバッファ１５に書き込む。これを第２データバッファ１５がフルになるまで繰り返す。
【００３０】
次いで、第２データバッファ１５がフルになると、描画部１６によってページバッファ１７に描画パターンを展開し、ページバッファ１７がフルになると印字部１８によって印刷を開始する。
【００３１】
そして、コマンド又はグラフィックデータ出力モードキー６で、グラフィックデータを別紙に印字出力するように設定されている場合は、第１データバッファ１２ａのデータがなくなったあと、第１データバッファ１２ｂにあるグラフィックデータを第２データバッファ１５に書き込む。これを第２データバッファ１５がフルになるまで繰り返す。
【００３２】
第２データバッファ１５がフルになると、描画１６によってページバッファ１７に描画パターンを展開する。ページバッファ１７がフルになると印字部１８によってグラフィックデータの印字を開始する。
【００３３】
なお、印字部１８では、コマンド又はトナーセーブモードキー８の設定に従って、トナーの量を調整する。
【００３４】
以上の説明を踏まえ、図４で示す本発明の試し印字機能を制御するフローチャートの説明を行う。
【００３５】
まずステップ（以後単に「Ｓ」という）Ｓ１０１で、ＰＣ１より送られてきた印字データが残っているか判断し、印字データが残っていれば、Ｓ１０２で第１データバッファ１２ａがデータ書き込み可能か否か判断する。
【００３６】
第１データバッファ１２ａがデータ書き込み可能であれば、Ｓ１０３の解釈部９で、予め決められたコマンドシーケンスに従ってコマンドを解釈し、解釈部９での処理結果に基づいて、Ｓ１０４で第１データバッファ１２ａ、１２ｂに印字データを書き込む。
【００３７】
次にＳ１０２で第１データバッファ１２ａがフルであると判断されれば、Ｓ１０５を経由してＳ１０６へ処理が移行し、Ｓ１０６では第２データバッファ１５に用紙１枚分の印刷データがそろったかを判断する。もし用紙１枚分のデータが揃っていなければ、画像データ縮小手段１３により、Ｓ１０７で、コマンドまたは画像データ縮小モードキー７の設定に従ってデータを縮小し、描画部１６により、Ｓ１０８で第２データバッファ１５にデータを書き込む。
【００３８】
そしてＳ１０６において、第２データバッファ１５がフルであると判断されれば、描画部１６により、Ｓ１１０でページバッファ１７に描画パターンを展開し、印字部１８により、Ｓ１１１で印字出力する。
【００３９】
次いでＳ１１１で印字出力した後、Ｓ１１２において、第１データバッファ１２ａに画像データが残っていると判断された場合は、Ｓ１０５へ戻る。
【００４０】
また、Ｓ１０２で第１データバッファ１２ａがフルと判断された場合は、ＰＣ１からの印字データが残っているので、Ｓ１０５乃至Ｓ１０８の処理を繰り返し、Ｓ１０５で第１データバッファ１２ａにデータが残っていないと判断されたら、Ｓ１０９を経由してＳ１０１へ戻る。
【００４１】
コマンドまたはグラフィックデータ出力モードキー６で、グラフィックデータを別紙に印字する設定がされている場合は、Ｓ１１２において、第１データバッファ１２ａにデータが残っていないと判断された後、Ｓ１１３を経由してＳ１１４へ処理が移行し、グラフィックデータ最適配置手段１４によりグラフィックデータを処理する。
【００４２】
そしてＳ１１０で描画部１６により、ページバッファ１７に描画パターンを展開し、Ｓ１１１で印字部１８により印字出力する。
【００４３】
図５は解釈部９のフローチャートを示しており、図５を使って解釈部９の動作概要を説明する。
【００４４】
まず解釈部９では予め決められたコマンドシーケンスに従ってコマンドを解釈する。即ちＳ２０１では試し印字モードか判断し、試し印字モードの場合は、Ｓ２０３へ処理が移行し、ＰＣ１から送られてくる印字データからページの始まり或いは終わりを示すコマンドを検出し、送られてきた各ページに対するページ番号を記憶しておく。ページ番号を記憶するのは、後述するＳ２０６で白紙ページを印字しないときに、ページ番号がずれるのを防ぐためである。
【００４５】
次にＳ２０４で、空白ページ検出手段１０を用いて空白ページを検出し、Ｓ２０５で空白ページが存在するか否かを判断し、空白ページが存在する場合は、Ｓ２０６で空白ページを出力するか判断する。空白ページを出力しない場合はＳ２０７で空白ページを消去する。
【００４６】
次いでＳ２０５で空白ページが存在しないと判断された場合は、Ｓ２０８のグラフィックデータ検出手段１１でＰＣ１から送られてくる印字データにグラフィックデータが含まれているかを検出する。
【００４７】
Ｓ２０９でグラフィックデータが存在すると判断されると、Ｓ２１０でグラフィックデータを印字するか判断し、グラフィックデータを印字しない場合はＳ２１１でグラフィックデータを枠に置き換える。Ｓ２１２では、グラフィックデータを縮小しないで別紙に印字するモードか否か判断し、別紙に印字する場合は、Ｓ２１３でグラフィックデータを第１データバッファ１２ａに書き込む。グラフィックデータが存在しない場合はＳ２１４で文字を点または枠で印字するか判断する。
【００４８】
図６は画像データ縮小手段１３のフローチャートを表しており、図６を使って画像縮小手段１３の処理内容を説明する。また、ここでは第１データバッファ１２ａの複数ページの画像データを縮小して１枚に印刷する設定を行う。
【００４９】
Ｓ３０１のページ数算出手段において、グラフィックデータ以外で印字する画像データのページ数を算出する。なお第１データバッファ１２ａにある画像データすべてを、１ページに収まるように縮小して印字することも可能であるが、用紙１枚に印字する画像データが多いと、画像データが小さくなりすぎて実用的でなくなる。そこで、コマンドまたはコントロールパネル３の画像データ縮小モードキー７で、用紙１枚に最大何ページを印字するかという設定を行い、その最大ページ数をＮｍａｘとしておく。
【００５０】
Ｓ３０１でグラフィックデータ以外で印字するページ数を算出し、Ｓ３０２で変数Ｍに記憶する。そしてＳ３０３で画像データを縮小するか否かを判断し、縮小する場合はＳ３０４で用紙１枚にＮページ印刷する（以下この場合をＮページ→１枚印刷と記す）設定が自動であるか手動であるかを判断する。
【００５１】
手動と判断された場合は、ユーザがあらかじめ設定しておいたページ数Ｎを用いて、Ｓ３０５でＮページ→１枚印刷設定を行い、自動と判断された場合は、Ｓ３０６で印字ページ数ＭとＮｍａｘとの比較を行う。もしＭ＞Ｎｍａｘであれば、Ｓ３０７でＮｍａｘページ→１枚印刷設定をし、Ｍ＜Ｎｍａｘであれば、Ｓ３１０で、自動縮小手段により、印字ページ数Ｍに応じた画像データの縮小を行う。
【００５２】
Ｓ３０４で手動、またはＳ３０６でＹｅｓと判断された場合は、Ｓ３０８で両面印刷の設定であるか判断する。
【００５３】
図７は図６の自動縮小手段のフローチャートを表しており、図７を使って自動縮小手段の動作説明を行う。
【００５４】
印字ページ数Ｍがあらかじめ設定されているＮページ→１枚印刷設定の最大ページ数Ｎｍａｘより小さい場合に、印字ページ数Ｍに応じた最適な画像データの縮小を行う。ここでは、Ｎページ→１枚印刷におけるＮが、２のｍ乗またはｎの２乗（ｍ、ｎは１以上の整数）に従うものとする。
【００５５】
まずＳ４０１で印字ページ数を変数Ｍに記憶し、Ｓ４０２でページ数Ｍが２のｍ乗またはｎの２乗と一致するようなｍまたはｎが存在すればＳ４０６でＭページ→１枚印刷設定をする。
【００５６】
Ｓ４０２で、ページ数Ｍが２のｍ乗またはｎの２乗と一致するようなｍまたはｎが存在しなければ、Ｓ４０３で２のｍ乗またはｎの２乗をＬとして、Ｓ４０４で、Ｌ−Ｍ（＞０）が最小となるｍまたはｎを算出し、Ｓ４０５でＬページ→１枚印刷設定を行う。
【００５７】
図８はグラフィックデータ最適配置手段１４のフローチャートを表しており、図８を使ってグラフィックデータ最適配置手段の動作概要について説明を行う。
【００５８】
まずＳ５０１で、コマンドで設定されている用紙サイズを検出して、その用紙の縦のサイズを変数Ｈに記憶し、Ｓ５０２で第１データバッファ１２ｂにグラフィックデータが残っているか判断する。
【００５９】
データが残っている場合は、Ｓ５０３で、第２データバッファ１５がデータ書き込み可能か否かを判断し、データ書き込み可能であると判断されれば、Ｓ５０４で、第１データバッファ１２ｂに貯えられているグラフィックデータの中から、グラフィックデータの縦のサイズが最も大きなデータを選択する。
【００６０】
次いでＳ５０５で選択したデータの縦のサイズを変数ｈに記憶し、Ｓ５０６でＨとｈを比較してｈが大きければ、ページオーバーと判断され、Ｓ５０７で、第１データバッファ１２ｂの中から、前回選択したグラフィックデータの次に縦サイズの大きなデータを選択して、Ｓ５０５にて、そのデータの縦サイズをｈに記憶する。
【００６１】
このようにＳ５０５乃至Ｓ５０７の操作を繰り返して、グラフィックデータの縦サイズの大きいものを優先して、Ｓ５０８で第２データバッファ１５にデータを書き込んでいく。
【００６２】
そしてＳ５０９で、選択したグラフィックデータを第１データバッファ１２ｂから消去し、Ｓ５１０で、変数ＨにＨ−ｈを記憶する。
【００６３】
以上の操作を、Ｓ５０２で第１データバッファ１２ｂのデータがなくなったと判断されるか、Ｓ５０３で第２データバッファ１５がフルになったと判断されるまで繰り返す。
【００６４】
図９は本発明の試し印字による出力結果の一例をしめしており、図９（ａ）のような、テキストデータのみを含む入力ページ１９、２２、テキストデータとグラフィックデータを含む入力ページ２０、２３、空白ページのみの入力ページ２１からなる入力データに対して、本発明の試し印字を行ったときの出力例が、図９（ｂ）の出力ページ２４と２５である。
【００６５】
なお、上記実施態様では、記憶手段が第１データバッファ１２、第２データバッファ１４、ページバッファ１７として分離された場合を説明したが、本発明はその場合のみに限定されるものではなく、例えば第１データバッファ１２と第２データバッファ１５、ページバッファ１７を単一の記憶手段で構成しても良く、その場合は記憶手段のアドレス管理を別途行う必要が生じるが、別々の記憶手段を用いる場合に比較して製造コストが安価になったり、回路面積が小さくて済み省スペース化が図れる等の効果も得られる。
【００６６】
また、本実施形態の説明では、空白ページ検出手段１０、グラフィックデータ検出手段１１、第１データバッファ１２、画像データ縮小手段１３、グラフィックデータ最適配置手段１４、第２データバッファ１５、描画部１６、ページバッファ１７を画像形成装置内に構成するものを例示したが、本発明はこれに限定されるものではなく、例えば画像形成装置をシステムととらえ、外部の情報処理装置内に上記構成の一部を適宜配置することも可能であり、この場合複数のプリンタを情報処理装置が集中的に管理することで、各プリンタの単価を低減でき、さらにシステム全体として、記録媒体や顕像剤の節約やミスプリントの低減等の効果が倍増することは明らかである。
【００６７】
【発明の効果】
本発明の画像形成装置によれば、複数のページを縮小して１ページに印字することができ、紙や顕像剤等の消耗品の浪費を抑えることができるという効果がある。なおモノクロ出力だけでなく、カラー出力の場合、複数の顕像剤（例えばブラック、イエロー、マゼンダ、シアン等）の節約が図れ特に有用である。
【００６９】
また本発明の画像形成装置によれば、空白ページを印字しないことで、印字ページ数を減らすことができ、紙の浪費を抑えることができる。
【００７０】
さらに本発明の画像形成装置によれば、空白ページを印字しないことで、印字ページ数を減らすことができ、紙の浪費を抑えることができる。またページ番号を付けておくことで、空白ページを出力することなく、空白ページの位置を確認できるという効果がある。
【００７１】
またさらに本発明の画像形成装置によれば、レイアウト確認の目的で試し印字する場合は、文字を点または枠に置き換えて印字することで顕像剤の浪費を抑えることができ、印字処理のスピードをアップさせることができる。
【００７２】
従来の画像形成装置では、グラフィックデータを印字すると処理に時間が掛かり、また顕像剤も浪費してしまうが、本発明の画像形成装置によれば、グラフィックデータの位置に枠を印字することで、グラフィックデータの位置確認ができ、時間や顕像剤の浪費を抑えることができる。
【００７３】
また試し印字による縮小で、画像データがオペレータの想定していたものより小さくなり、グラフィックデータを再確認するため、縮小の設定を変えてもう一度印字し直すことになった場合、用紙や顕像剤、時間の無駄になっていたが、本発明の画像形成装置によれば、グラフィックデータを除いた縮小データの他に、グラフィックデータだけを別紙に縮小せずに印刷できれば、試しコピーのミスを防ぐことができ、用紙や顕像剤、時間の浪費を抑えることができる。
【００７４】
さらに従来の画像形成装置では、グラフィックデータを元の画像での大きさで印字するとき、１データを１枚の用紙に印字していたのでは、用紙の無駄になっており、また出現するグラフィックデータの順番で１枚の用紙にデータを並べようとしても、データの組み合わせでは、用紙に無駄なスペースができ、用紙を有効に利用できないといった問題点があったが、本発明の画像形成装置によれば、１枚の用紙に印字するグラフィックデータの組み合わせを最適化できるので、１ページ当たりに印字するデータの量を多くでき、紙の浪費を抑えることができるという効果がある。
【００７５】
さらに、グラフィックデータの組み合わせを最適にしようとすると、データの出力の順番が変わることがあったが、本発明の画像形成装置によれば、対応する番号をデータとページに付けておけるので、順番が変わっても一目で分かるという効果がある。
【図面の簡単な説明】
【図１】ＰＣと画像形成装置との接続を表す図である。
【図２】試し印字を可能にするための画像形成装置の回路ブロックを表す図である。
【図３】第１データバッファ１２の内容を表す図である。
【図４】試し印字機能を制御するためのフォローチャートを表す図である。
【図５】解釈部９のフローチャートを表す図である。
【図６】画像データ縮小手段１３のフローチャートを表す図である。
【図７】画像データ自動縮小手段のフローチャートを表す図である。
【図８】グラフィックデータ最適配置手段１４のフローチャートを表す図である。
【図９】入力例と試し印字による出力例を表す図である。
【符号の説明】
１  情報処理装置（ＰＣ）
２  画像形成装置
３  コントロールパネル
４  試し印字モードキー
５  空白ページ出力モードキー
６  グラフィックデータ出力モードキー
７  画像データ縮小モードキー
８  トナーセーブモードキー
９  解釈部
１０  空白ページ検出手段
１１  グラフィックデータ検出手段
１２  第１データバッファ
１３  画像データ縮小手段
１４  グラフィックデータ最適配置手段
１５  第２データバッファ
１６  描画部
１７  ページバッファ
１８  印字部
１９  入力ページ１ページ目
２０  入力ページ２ページ目
２１  入力ページ３ページ目
２２  入力ページ４ページ目
２３  入力ページ５ページ目
２４  出力ページ１ページ目
２５  出力ページ２ページ目
【図１】
0003609247.tif 000002
【図２】
0003609247.tif 000003
【図３】
0003609247.tif 000004
【図４】
0003609247.tif 000005
【図５】
0003609247.tif 000006
【図６】
0003609247.tif 000007
【図７】
0003609247.tif 000008
【図８】
0003609247.tif 000009
【図９】
0003609247.tif 000010